(57)【要約】【課題】操作装置を用いて複数の表示部を操作する際の不都合を解消し得る表示制御装置を提供する。【解決手段】操作装置から出力された操作信号に従って表示部に対して表示処理を実行させる制御部を備え、制御部は、操作信号と共に操作装置から出力されて操作対象の表示部を指定する第１の識別情報と表示部に設定されている第２の識別情報とが不一致の旨を報知する報知画像Ｇｉ１、および両識別情報が一致の旨を報知する報知画像Ｇｉ２の少なくとも一方を表示部に表示させる報知処理を実行する。【選択図】図８
2008102243.tif 000002
【特許請求の範囲】
【請求項１】
操作装置から出力された操作信号に従って表示部に対して表示処理を実行させる制御部を備えた表示制御装置であって、
前記制御部は、前記操作信号と共に前記操作装置から出力されて操作対象の前記表示部を指定する第１の識別情報と当該表示部に設定されている第２の識別情報とが不一致の旨を報知する第１の報知画像、および前記両識別情報が一致の旨を報知する第２の報知画像の少なくとも一方を前記表示部に表示させる報知処理を実行する表示制御装置。
【請求項２】
前記制御部は、第１の制御信号、および電源供給を指示する指示信号が前記操作装置から順に出力されたときに、前記表示部に対する電源供給処理を実行する請求項１記載の表示制御装置。
【請求項３】
前記制御部は、第２の制御信号および前記操作信号が前記操作装置から順に出力されたときには、当該操作信号に従って前記表示処理を実行させ、前記第２の制御信号が出力されていないときには、前記両識別情報が一致したときにのみ前記操作信号に従って前記表示処理を実行させる請求項１または２記載の表示制御装置。
【請求項４】
前記制御部は、前記操作装置から第３の制御信号が出力されたときに、前記報知処理の実行を停止する請求項１から３のいずれかに記載の表示制御装置。
【請求項５】
前記制御部は、前記操作装置から第４の制御信号が出力されて報知処理許可状態となっているときにのみ、前記報知処理を実行する請求項１から４のいずれかに記載の表示制御装置。
【請求項６】
前記制御部は、前記報知処理の実行時において、前記第１の報知画像および前記第２の報知画像を互いに異なる表示色で表示させる請求項１から５のいずれかに記載の表示制御装置。
【請求項７】
前記制御部は、前記第１の識別情報と前記第２の識別情報とが不一致のときに当該第１の識別情報および当該第２の識別情報の少なくとも一方を変更するための変更用画面を前記表示部に表示させる請求項１から６のいずれかに記載の表示制御装置。
【請求項８】
操作対象である旨を特定可能な操作対象情報を記憶する記憶部を備え、
前記制御部は、前記操作信号が前記操作装置から出力されかつ前記第１の識別情報が当該操作信号と共に出力されないときに、前記記憶部に記憶されている前記操作対象情報に基づいて前記報知処理を実行する請求項１から７のいずれかに記載の表示制御装置。
【請求項９】
請求項１から８のいずれかに記載の表示制御装置と、当該表示制御装置によって制御される前記表示部とを備えているプロジェクタ。
【請求項１０】
操作装置から出力された操作信号に従って表示部に対して表示処理を実行させる表示制御方法であって、
前記操作信号と共に前記操作装置から出力されて操作対象の前記表示部を指定する第１の識別情報と当該表示部に設定されている第２の識別情報とが不一致の旨を報知する第１の報知画像、および前記両識別情報が一致の旨を報知する第２の報知画像の少なくとも一方を前記表示部に表示させる報知処理を実行する表示制御方法。
【発明の詳細な説明】
【技術分野】
【０００１】
本発明は、操作装置から出力された操作信号に従って表示部に対して表示処理を実行させる制御部を備えた表示制御装置、その表示制御装置と表示部とを備えてたプロジェクタ、および操作装置から出力された操作信号に従って表示部に対して表示処理を実行させる表示制御方法に関するものである。
【背景技術】
【０００２】
この種の表示制御装置を備えた表示装置として、特開平８−２２３５９１号公報に開示された大画面表示装置（以下、「表示装置」ともいう）が知られている。この表示装置は、４台の投写型ディスプレイ（以下、「ディスプレイ」ともいう）とリモートコントロール送信機（以下、「リモコン」ともいう）とを備えて構成されている。この場合、各ディスプレイは、個別的にＩＤを設定することが可能に構成されて、各々を識別することが可能となっている。また、リモコンは、各ディスプレイに対応するＩＤを予めインプット（設定）することにより、各ディスプレイを操作（制御）可能に構成されている。このため、この表示装置では、１台のリモコンで複数のディスプレイを操作することが可能となっている。
【特許文献１】特開平８−２２３５９１号公報（第７頁、第１図）
【発明の開示】
【発明が解決しようとする課題】
【０００３】
ところが、上記の表示装置には以下の問題点が存在する。すなわち、この表示装置では、ディスプレイおよびリモコンに予めＩＤを設定することで、１台のリモコンで複数のディスプレイを操作することを可能としている。しかしながら、例えば、「１」に設定すべきディスプレイのＩＤを、誤って「５」に設定してしまったときには、そのディスプレイを操作できないばかりでなく、操作できない原因がＩＤの設定誤りによるものであるにも拘わらずそのことをユーザに認識させるのが困難なため、操作できない原因が故障によるものであるかのような誤解をユーザに与えるおそれがある。また、たとえＩＤの設定誤りであることをユーザが認識したとしても、設定されているＩＤを知ることが困難なため、全ての表示装置のＩＤを設定し直す必要が生じることもある。
【０００４】
本発明は、かかる問題点に鑑みてなされたものであり、操作装置を用いて複数の表示部を操作する際の不都合を解消し得る表示制御装置、プロジェクタおよび表示制御方法を提供することを主目的とする。
【課題を解決するための手段】
【０００５】
上記目的を達成すべく本発明に係る表示制御装置は、操作装置から出力された操作信号に従って表示部に対して表示処理を実行させる制御部を備えた表示制御装置であって、前記制御部は、前記操作信号と共に前記操作装置から出力されて操作対象の前記表示部を指定する第１の識別情報と当該表示部に設定されている第２の識別情報とが不一致の旨を報知する第１の報知画像、および前記両識別情報が一致の旨を報知する第２の報知画像の少なくとも一方を前記表示部に表示させる報知処理を実行する。
【０００６】
また、本発明に係る表示制御方法は、操作装置から出力された操作信号に従って表示部に対して表示処理を実行させる表示制御方法であって、前記操作信号と共に前記操作装置から出力されて操作対象の前記表示部を指定する第１の識別情報と当該表示部に設定されている第２の識別情報とが不一致の旨を報知する第１の報知画像、および前記両識別情報が一致の旨を報知する第２の報知画像の少なくとも一方を前記表示部に表示させる報知処理を実行する。
【０００７】
この表示制御装置および表示制御方法によれば、操作対象の表示部を指定する第１の識別情報と表示部に設定された第２の識別情報とが不一致の旨を報知する第１の報知画像、および両識別情報が一致の旨を報知する第２の報知画像の少なくとも一方を表示部に表示させる報知処理を実行することにより、例えば、操作装置を用いて複数の表示部を操作する際に、両識別情報の一致および不一致の状態や、各表示部のうちのどの表示部を操作対象として設定しているか等の情報をユーザに対して一目で確認させることができる。このため、例えば、第１の識別情報や第２の識別情報の設定誤りによって所望の表示部に対する操作ができないときに、その原因が故障によるものであるかのような誤解をユーザに与える不都合を確実に防止することができる。また、設定されている両識別情報を第１の報知画像および第２の報知画像に表示することで、第１の識別情報や第２の識別情報の設定誤りがあったときに、その誤りを容易に修正（変更）することができる。このため、設定されている両識別情報を知ることが困難なことに起因して、全ての表示部における第２の識別情報を設定し直すという不都合を確実に解消することができる。
【０００８】
また、本発明に係る表示制御装置は、前記制御部が、第１の制御信号、および電源供給を指示する指示信号が前記操作装置から順に出力されたときに、前記表示部に対する電源供給処理を実行する。
【０００９】
この表示制御装置によれば、第１の制御信号、および電源供給を指示する指示信号が操作装置から順に出力されたときに、両識別情報の一致および不一致に拘わらず表示部に対する電源供給処理を実行することにより、両識別情報が不一致のときに全ての操作信号に対する処理が実行されない一般的な構成とは異なり、たとえ両識別情報が不一致であったとしても、表示部に電源を確実に供給して、第１の報知画像および第２の報知画像を確実に表示させることができる。
【００１０】
また、本発明に係る表示制御装置は、前記制御部が、第２の制御信号および前記操作信号が前記操作装置から順に出力されたときには、当該操作信号に従って前記表示処理を実行させ、前記第２の制御信号が出力されていないときには、前記両識別情報が一致したときにのみ前記操作信号に従って前記表示処理を実行させる。
【００１１】
この表示制御装置によれば、第２の制御信号および操作信号が操作装置から順に出力されたときには、両識別情報の一致および不一致に拘わらず操作信号に従って表示処理を実行させ、第２の制御信号が出力されていないときには、両識別情報が一致したときにのみ操作信号に従って表示処理を実行させることにより、例えば、操作装置を用いて複数の表示部を操作する際に、全ての表示部に対して所定の操作を一斉に行うような効率を重視した使用形態と、特定の表示部に対してのみ所定の操作を行えるよにして他人による操作を規制するようなセキュリティを重視した使用形態とを、第２の制御信号の送信を行うか否かで容易に切り替えることができる。このため、ユーザの使用形態に柔軟に対応することができる。
【００１２】
また、本発明に係る表示制御装置は、前記制御部が、前記操作装置から第３の制御信号が出力されたときに、前記報知処理の実行を停止する。
【００１３】
この表示制御装置によれば、操作装置から第３の制御信号が出力されたときに、報知処理の実行を停止することにより、第１の報知画像および第２の報知画像の表示が不要なときには、第３の制御信号を出力するだけで両報知画像の表示を任意に停止させることができるため、表示部に対して操作を繰り返して行う際に、操作の度に両報知画像が表示されて元画像が見難くなる事態を確実に防止することができる。
【００１４】
また、本発明に係る表示制御装置は、前記制御部が、前記操作装置から第４の制御信号が出力されて報知処理許可状態となっているときにのみ、前記報知処理を実行する。
【００１５】
この表示制御装置によれば、操作装置から第４の制御信号が出力されて報知処理許可状態となっているときにのみ報知処理を実行することにより、第１の報知画像および第２の報知画像の表示が必要なときにのみ第４の制御信号を出力することで、両報知画像を任意に表示させることができるため、表示部に対して操作を繰り返して行う際に、操作の度に両報知画像が表示されて元画像が見難くなる事態を確実に防止することができる。
【００１６】
また、本発明に係る表示制御装置は、前記制御部が、前記報知処理の実行時において、前記第１の報知画像および前記第２の報知画像を互いに異なる表示色で表示させる。
【００１７】
この表示制御装置によれば、報知処理の実行時において、第１の報知画像および第２の報知画像を互いに異なる表示色で表示させることにより、表示位置から離間した位置においても第１の報知画像と第２の報知画像とを明確に区別して視認させることができるため、第１の識別情報および第２の識別情報が一致しているか否かを確実に認識させることができる。
【００１８】
また、本発明に係る表示制御装置は、前記制御部が、前記第１の識別情報と前記第２の識別情報とが不一致のときに当該第１の識別情報および当該第２の識別情報の少なくとも一方を変更するための変更用画面を前記表示部に表示させる。
【００１９】
この表示制御装置によれば、第１の識別情報と第２の識別情報とが不一致のときに当該第１の識別情報および当該第２の識別情報の少なくとも一方を変更するための変更用画面を表示部に表示させることにより、表示部に設けられている操作部を操作することなく、変更用画面を用いて操作装置の操作によって表示部に設定された第２の識別情報を離れた位置から変更することができるため、ユーザに対する利便性を十分に向上させることができる。
【００２０】
また、本発明に係る表示制御装置は、操作対象である旨を特定可能な操作対象情報を記憶する記憶部を備え、前記制御部は、前記操作信号が前記操作装置から出力されかつ前記第１の識別情報が当該操作信号と共に出力されないときに、前記記憶部に記憶されている前記操作対象情報に基づいて前記報知処理を実行する。
【００２１】
この表示制御装置によれば、第１の識別情報が操作信号と共に出力されないときに、記憶部に記憶されている操作対象情報に基づいて報知処理を実行することにより、例えば、操作装置が、第１の識別情報を出力する機能を有していないときであっても、両報知画像を表示させることができるため、上記した効果と同様の効果を実現することができる。
【００２２】
また、本発明に係るプロジェクタは、上記の表示制御装置と、当該表示制御装置によって制御される前記表示部とを備えているプロジェクタ。
【００２３】
このプロジェクタによれば、上記の表示制御装置と表示部とを備えたことにより、上記の表示制御装置が有する効果と同様の効果を実現することができる。
【発明を実施するための最良の形態】
【００２４】
以下、本発明に係る表示制御装置、プロジェクタおよび表示制御方法の最良の形態について、添付図面を参照して説明する。図１に示すプロジェクタ１は、本発明に係るプロジェクタの一例であって、同図に示すように、制御部１１、データ入力部１２、画像処理部１３、投写部１４、送受信部１５、操作部１６、第１記憶部１７および第２記憶部１８を備えて構成されている。この場合、制御部１１、画像処理部１３、送受信部１５、操作部１６、第１記憶部１７および第２記憶部１８によって本発明に係る表示制御装置が構成される。
【００２５】
制御部１１は、第１記憶部１７に記録されている動作プログラムに従って作動し、後述するリモートコントローラー２（以下、「リモコン２」ともいう）から送信（出力）される操作信号Ｓｏや制御信号Ｓｃに従ってプロジェクタ１を構成する各構成要素を制御する。また、制御部１１は、図６に示す表示制御処理５０を実行することにより、各種の画像（例えば、図５示す画像Ｇｐａ〜Ｇｐｄ）を投写部１４に投写表示させる。また、制御部１１は、表示制御処理５０の実行時において所定の条件が満たされたときには、図７に示す報知処理６０を実行することにより、報知画像Ｇｉ１（図８参照）および報知画像Ｇｉ２（同図参照）を投写部１４に投写表示させる。この場合、報知画像Ｇｉ１は、本発明における第１の報知画像に相当し、リモコン２に設定されて操作対象のプロジェクタ１を指定するＩＤ（本発明における第１の識別情報：以下、リモコン２に設定されるＩＤを「ＩＤ１」ともいう）と、プロジェクタ１に設定されてプロジェクタ１を識別するＩＤ（本発明における第２の識別情報：以下、プロジェクタ１に設定されるＩＤを「ＩＤ２」ともいう）とが不一致のとき（異なっているとき）に表示される画像であって、両ＩＤ１，ＩＤ２が不一致の旨を報知する文字情報等で構成されている。また、報知画像Ｇｉ２は、本発明における第２の報知画像に相当し、両ＩＤ１，ＩＤ２が一致しているときに表示される画像であって、両ＩＤ１，ＩＤ２が一致している旨を報知する文字情報等で構成されている。
【００２６】
データ入力部１２は、例えば、図４に示すように、ＵＳＢケーブル２００を介して外部装置としてのコンピュータ１００に接続され、コンピュータ１００から送信された画像データＤｇを入力する。画像処理部１３は、データ入力部１２を介して外部装置から入力した画像データＤｇに基づいて画像表示用の表示用データＤｅを生成する。投写部１４は、本発明における表示部に相当し、光源、光変調素子および投写レンズを備えて構成され、画像処理部１３によって生成される表示用データＤｅに基づいて光変調した投写光Ｌを投写する。
【００２７】
送受信部１５は、リモコン２から出力される赤外線信号Ｓｉを受信して操作信号Ｓｏ、制御信号Ｓｃおよび識別データＤｄ１を制御部１１に出力する。操作部１６は、電源スイッチやＩＤ設定キー（図示せず）などの各種のスイッチやキーが配列されて構成され、これらが操作されたときに、操作されたスイッチやキーに対応する操作信号Ｓｏを制御部１１に出力する。第１記憶部１７は、制御部１１の動作プログラムを記憶する。また、第１記憶部１７は、上記した報知画像Ｇｉ１，Ｇｉ２の表示に用いられる報知画像データＤｉや、後述する変更用画面Ｇｓの表示に用いられる変更用画面データＤｓを記憶する。第２記憶部１８は、制御部１１の制御に従って上記したＩＤ２を示す識別データＤｄ２を記憶する。
【００２８】
一方、図２，３に示すリモコン２は、本発明における操作装置に相当し、図２に示すように操作部２１、制御部２２、記憶部２３および送受信部２４を備えて構成されている。操作部２１は、図３に示すように、電源キー３１、一斉操作キー３２、表示開始キー３３、ＩＤ設定キー３４、数字キー３５，３５・・、色調変更キー３６、カーソルキー３７、白バランス変更キー３８、報知表示禁止キー３９および設定画面表示キー４０などの各種のスイッチやキーが配列されて構成され、これらが操作されたときに、操作されたスイッチやキーに対応する操作信号Ｓｏや制御信号Ｓｃを制御部２２に出力する。記憶部２３は、制御部２２の制御に従って上記したＩＤ１を示す識別データＤｄ１を記憶する。送受信部２４は、操作信号Ｓｏ、制御信号Ｓｃおよび識別データＤｄ１に応じた赤外線信号Ｓｉを送信する。
【００２９】
次に、１台のリモコン２で例えば４台のプロジェクタ１（図４に示すプロジェクタ１ａ〜１ｄ）を操作して画像を投写表示させる方法の一例、およびその際のプロジェクタ１やリモコン２の全体的な動作について、図面を参照して説明する。
【００３０】
この例では、１台のリモコン２で各プロジェクタ１ａ〜１ｄを操作するために、各プロジェクタ１ａ〜１ｄを識別するためのＩＤ２を予め設定しておく。具体的には、各プロジェクタ１ａ〜１ｄの操作部１６におけるＩＤ設定キーを操作して、各プロジェクタ１ａ〜１ｄのＩＤ２を例えば１〜４にそれぞれ設定する。この場合、各プロジェクタ１ａ〜１ｄの制御部１１は、設定されたＩＤ２を示す識別データＤｄ２を第２記憶部１８に記憶させる。次に、図５に示すように、各プロジェクタ１ａ〜１ｄをスクリーン３００に向けて配置し、次いで、図４に示すように、画像データＤｇのソースとなる外部装置としてのコンピュータ１００と各プロジェクタ１ａ〜１ｄのデータ入力部１２とをＵＳＢケーブル２００で接続する。続いて、コンピュータ１００から画像データＤｇを出力させる。
【００３１】
次いで、例えば、各プロジェクタ１ａ〜１ｄの電源を一斉に投入させるときには、リモコン２の操作部２１における一斉操作キー３２を操作した後に、電源キー３１を操作する。この際に、操作部２１が、一斉操作キー３２に対応する制御信号Ｓｃ（このときの制御信号Ｓｃが本発明における第１の制御信号に相当し、以下「制御信号Ｓｃ１」ともいう）、および電源キー３１に対応する操作信号Ｓｏ（本発明における電源供給を指示する指示信号）を順に出力し、送受信部２４が、その両制御信号Ｓｃに対応する赤外線信号Ｓｉを送信する。一方、各プロジェクタ１ａ〜１ｄでは、送受信部１５が赤外線信号Ｓｉを受信してその赤外線信号Ｓｉに対応する信号、つまりリモコン２の一斉操作キー３２に対応する制御信号Ｓｃ１および電源キー３１に対応する操作信号Ｓｏを順に出力する。
【００３２】
この場合、一斉操作キー３２に対応する制御信号Ｓｃが出力（リモコン２から送信）されたため、各プロジェクタ１ａ〜１ｄの制御部１１が、電源キー３１に対応する制御信号Ｓｃに従って投写部１４に対する電源供給処理を実行する。次いで、制御部１１は、第１記憶部１７から動作プログラムを読み出して、その動作プログラムに従い、図６に示す表示制御処理５０を実行する。この表示制御処理５０では、制御部１１は、操作信号Ｓｏが送受信部１５（つまり、リモコン２）から出力されたか否かを判別する（ステップ５１）。この場合、操作信号Ｓｏが出力されていないときには、制御部１１は、ステップ５１を繰り返して実行する。
【００３３】
一方、例えば、コンピュータ１００からの画像データＤｇに基づく画像を各プロジェクタ１ａ〜１ｄに一斉に投写表示させるときには、リモコン２の操作部２１における一斉操作キー３２を操作した後に、表示開始キー３３を操作する。この際に、操作部２１が、一斉操作キー３２に対応する制御信号Ｓｃ（このときの制御信号Ｓｃが本発明における第２の制御信号に相当し、以下「制御信号Ｓｃ２」ともいう）、および表示開始キー３３に対応する操作信号Ｓｏを順に出力し、各プロジェクタ１ａ〜１ｄの送受信部１５が、リモコン２からの赤外線信号Ｓｉを受信して制御信号Ｓｃ２および表示開始キー３３に対応する操作信号Ｓｏを順に出力する。次いで、制御部１１は、上記した表示制御処理５０のステップ５１において、操作信号Ｓｏが出力されたと判別して、続いて、操作信号Ｓｏと共に制御信号Ｓｃ２が出力されたか否かを判別する（ステップ５２）。
【００３４】
この場合、制御信号Ｓｃ２が出力されているため、制御部１１は、操作信号Ｓｏに応じた処理を実行する（ステップ５３）。具体的には、制御部１１は、操作信号Ｓｏに従い、データ入力部１２を介して入力したコンピュータ１００からの画像データＤｇを画像処理部１３に転送する。次いで、画像処理部１３が、画像データＤｇに基づいて画像表示用の表示用データＤｅを生成し、制御部１１がその表示用データＤｅを投写部１４に出力する。続いて、投写部１４が表示用データＤｅに基づいて光変調した投写光Ｌを投写する。これにより、図５に示すように、各プロジェクタ１ａ〜１ｄからの投写光Ｌの投写によって各スクリーン３００に画像Ｇｐａ〜Ｇｐｄがそれぞれ表示される。
【００３５】
次に、例えば、プロジェクタ１ｂ〜１ｄによって投写表示されている画像Ｇｐｂ〜Ｇｐｄの色調はそのままで、プロジェクタ１ａによって投写表示されている画像Ｇｐａの色調だけを変更するときには、プロジェクタ１ａだけを操作対象とするために、リモコン２にＩＤ１を設定する。具体的には、図３に示すリモコン２の操作部２１におけるＩＤ設定キー３４を操作する。次いで、同図に示す「１」が付された数字キー３５を操作する。この際に、操作部２１がその数字キー３５に対応する操作信号Ｓｏを出力し、これに応じて、制御部２２がその操作信号Ｓｏに基づき、操作対象のプロジェクタ１のＩＤ１が「１」である旨を示す識別データＤｄ１を記憶部２３に記憶させる。
【００３６】
続いて、リモコン２の操作部２１における色調変更キー３６を操作した後に、カーソルキー３７を操作する。この際に、制御部２２は、操作部２１から出力された色調変更キー３６およびカーソルキー３７に対応する操作信号Ｓｏと、記憶部２３に記憶されている識別データＤｄ１とを送受信部２４に出力し、送受信部２４は、その操作信号Ｓｏおよび識別データＤｄ１に対応する赤外線信号Ｓｉを送信する。一方、各プロジェクタ１ａ〜１ｄでは、送受信部１５が赤外線信号Ｓｉを受信して操作信号Ｓｏおよび識別データＤｄ１を出力する。次いで、制御部１１は、上記した表示制御処理５０のステップ５１において操作信号Ｓｏが出力されたと判別し、続いて、ステップ５２を実行する。この場合、制御信号Ｓｃ２が出力されていないため、制御部１１は、図６に示す報知処理６０を実行する（ステップ５４）。
【００３７】
この報知処理６０では、制御部１１は、第２記憶部１８に記憶されている識別データＤｄ２によって特定されるＩＤ２と、リモコン２から送信された識別データＤｄ１によって特定されるＩＤ１とが一致するか否かを判別する（ステップ６１）。この場合、プロジェクタ１ａにおいては、ＩＤ２が「１」に設定されているため、制御部１１は、ＩＤ２とＩＤ１（この場合ＩＤ１＝１）とが一致すると判別して、操作部２１から出力された色調変更キー３６およびカーソルキー３７に対応する操作信号Ｓｏに応じた処理、つまり投写部１４に対する色調調整処理を実行する（ステップ６２）。これにより、プロジェクタ１ａによって投写表示されている画像Ｇｐａの色調が変更される。
【００３８】
次いで、制御部１１は、第１記憶部１７から上記した報知画像Ｇｉ２用の報知画像データＤｉを読み出して画像処理部１３に出力すると共に、画像処理部１３を制御して、上記した報知画像Ｇｉ２を画像Ｇｐａに重ね合わせて投写表示させるための表示用データＤｅを出力させる（ステップ６３）。続いて、制御部１１は、リモコン２から報知表示禁止キー３９に対応する制御信号Ｓｃ（この制御信号Ｓｃが本発明における第３の制御信号に相当し、以下「制御信号Ｓｃ３」ともいう）が既に出力されているか否かを判別する（ステップ６４）。この場合、この時点で制御信号Ｓｃ３が出力されていないため、制御部１１は、投写部１４に対して報知画像Ｇｉ２の表示を開始させる（ステップ６５）。これに応じて、投写部１４は、表示用データＤｅに基づいて光変調した投写光Ｌを投写する。これにより、図８に示すように、プロジェクタ１ａからの投写光Ｌの投写によってスクリーン３００に報知画像Ｇｉ２が画像Ｇｐａに重ね合わせて投写表示される。この場合、報知画像Ｇｉ２は、例えば同図に示すように、ＩＤ１の値およびＩＤ２の値が白色で半透明（半透過）で矩形状の背景上に記述されて構成されている。
【００３９】
一方、プロジェクタ１ｂにおいては、ＩＤ２が「２」に設定されているため、制御部１１は、上記したステップ６１においてＩＤ２とＩＤ１とが一致していない（不一致）と判別して、第１記憶部１７から上記した報知画像Ｇｉ１用の報知画像データＤｉを読み出して画像処理部１３に出力すると共に、画像処理部１３を制御して、報知画像Ｇｉ１を画像Ｇｐａに重ね合わせて投写表示させるための表示用データＤｅを出力させる（ステップ６６）。次いで、制御部１１は、リモコン２から制御信号Ｓｃ３が操作信号Ｓｏと共に出力されたか否かを判別する（ステップ６４）。この場合、この時点で制御信号Ｓｃ３が出力されていないため、制御部１１は、投写部１４に対して報知画像Ｇｉ２の表示を開始させる（ステップ６５）。これに応じて、投写部１４が表示用データＤｅに基づいて光変調した投写光Ｌを投写する。これにより、図８に示すように、プロジェクタ１ｂからの投写光Ｌの投写によってスクリーン３００に報知画像Ｇｉ１が画像Ｇｐｂに重ね合わせて投写表示される。同様にして、プロジェクタ１ｃ，１ｄにおける各制御部１１がステップ６６，６４，６５を順次実行する。これにより、同図に示すように、プロジェクタ１ｃ，１ｄからの投写光Ｌの投写によってスクリーン３００に報知画像Ｇｉ１が画像Ｇｐｃ，Ｇｐｄにそれぞれ重ね合わせて投写表示される。この場合、報知画像Ｇｉ１は、例えば同図に示すように、ＩＤ１の値、ＩＤ２の値、および両ＩＤ１，ＩＤ２が不一致の旨を示すメッセージがオレンジ色（報知画像Ｇｉ２の背景とは異なる色）の背景上に記述されて構成されている。つまり、この報知画像Ｇｉ１上記した報知画像Ｇｉ２とが互いに異なる表示色で投写表示される。
【００４０】
この場合、各プロジェクタ１ａ〜１ｄによって報知画像Ｇｉ１，Ｇｉ２が投写表示されているため、ユーザは、ＩＤ１とＩＤ２との一致および不一致の状態や、各プロジェクタ１ａ〜１ｄのうちのどのプロジェクタ１を操作対象として設定しているか等の情報を一目で確認することが可能となる。このため、例えば、ＩＤ１，ＩＤ２の設定誤りによって所望のプロジェクタ１に対する操作ができないときに、その原因が故障によるものであるかのような誤解をユーザに与える不都合を確実に防止することが可能となっている。
【００４１】
次に、例えば、プロジェクタ１ｂ〜１ｄによって投写表示されている画像Ｇｐｂ〜Ｇｐｄの白バランスはそのままで、プロジェクタ１ａによって投写表示されている画像Ｇｐａの白バランスだけを変更するときには、リモコン２の操作部２１における白バランス変更キー３８を操作した後に、カーソルキー３７を操作する。ここで、上記した色調の調整の際に表示された報知画像Ｇｉ１，Ｇｉ２によってリモコン２のＩＤ１と各プロジェクタ１ａ〜１ｄのＩＤ２の設定状態が意図したとおりの状態（正しい状態）であることが確認でき、プロジェクタ１ａに対する白バランスの調整においては、報知画像Ｇｉ１，Ｇｉ２の表示が不要であるときには、白バランス変更キー３８およびカーソルキー３７の操作と共に、操作部２１の報知表示禁止キー３９を操作する。
【００４２】
この際に、リモコン２の送受信部２４が、白バランス変更キー３８およびカーソルキー３７に対応する操作信号Ｓｏ、識別データＤｄ１に対応する赤外線信号Ｓｉ、並びに報知表示禁止キー３９に対応する制御信号Ｓｃ３を送信し、各プロジェクタ１ａ〜１ｄでは、送受信部１５が赤外線信号Ｓｉを受信して操作信号Ｓｏおよび識別データＤｄ１を出力する。次いで、制御部１１は、上記した表示制御処理５０のステップ５１において操作信号Ｓｏが出力されたと判別し、続いて、ステップ５２において制御信号Ｓｃ２が出力されていないと判別して、報知処理６０を実行する（ステップ５４）。
【００４３】
この場合、この報知処理６０では、プロジェクタ１ａの制御部１１は、上記したステップ６１において、ＩＤ２とＩＤ１とが一致すると判別して、次いで、操作部２１から出力された白バランス変更キー３８およびカーソルキー３７に対応する操作信号Ｓｏに応じた処理、つまり投写部１４に対する白バランス調整処理を実行する（ステップ６２）。これにより、プロジェクタ１ａによって投写表示されている画像Ｇｐａの白バランスが変更される。一方、制御部１１は、上記したステップ６４において、制御信号Ｓｃ３が出力されていると判別して、投写部１４に対して報知画像Ｇｉ２の表示を停止（禁止）させる（ステップ６７）。これにより、スクリーン３００には、報知画像Ｇｉ２が表示されることなく画像Ｇｐａだけが表示される。
【００４４】
また、各プロジェクタ１ｂ〜１ｄの各制御部１１も、上記したステップ６４において、制御信号Ｓｃ３が出力されていると判別して、投写部１４に対して報知画像Ｇｉ１の表示を停止（禁止）させる（ステップ６７）。これにより、各スクリーン３００には、報知画像Ｇｉ２が表示されることなく画像Ｇｐｂ〜Ｇｐｄだけがそれぞれ表示される。
【００４５】
この場合、報知表示禁止キー３９を操作することで、報知画像Ｇｉ１，Ｇｉ２の表示を任意に停止（禁止）させることが可能となっている。このため、上記したように、各プロジェクタ１ａ〜１ｄのうちの１台に対して操作（上記した色調調整や白バランス調整の操作）を繰り返して行う際に、報知画像Ｇｉ１，Ｇｉ２の表示が不要であるときには、報知画像Ｇｉ１，Ｇｉ２の表示を停止させることで、操作の度に報知画像Ｇｉ１，Ｇｉ２が表示されて画像Ｇｐが見難くなる事態を防止することが可能となっている。
【００４６】
一方、このプロジェクタ１では、例えば、リモコン２側のＩＤ１とプロジェクタ１側のＩＤ２が不一致のときに、ＩＤ１をＩＤ２に合わせる操作、およびＩＤ２をＩＤ１に合わせる操作をプロジェクタ１によって投写表示される画面を用いて（画面上で）行うことが可能となっている。以下、発明の理解を容易とするため、上記した各プロジェクタ１ａ〜１ｄのうちのプロジェクタ１ａだけに電源が投入されている状態における操作例について説明する。この場合、例えば、プロジェクタ１側のＩＤ２の設定操作の際に、「１」に設定すべきプロジェクタ１ａのＩＤ２を誤って「５」に設定したことに起因して、上記の色調調整の際にＩＤ１が「１」で、ＩＤ２が「５」である旨を示す報知画像Ｇｉ１が投写表示されたときには、リモコン２の操作部２１における設定画面表示キー４０を操作する。
【００４７】
この際に、各プロジェクタ１ａ〜１ｄの制御部１１は、送受信部１５から出力された設定画面表示キー４０に対応する制御信号Ｓｃ１に応じて、第１記憶部１７から変更用画面データＤｓを読み出して画像処理部１３に出力すると共に、画像処理部１３を制御して、変更用画面Ｇｓを投写表示させるための表示用データＤｅを出力させる。これに応じて、投写部１４が表示用データＤｅに基づいて光変調した投写光Ｌを投写することにより、図９に示すように、スクリーン３００に変更用画面Ｇｓが投写表示される。次いで、変更用画面Ｇｓに表示されたメッセージの指示に従い、選択リモコン２の操作部２１における操作キーを操作する。具体的には、プロジェクタ１ａ側のＩＤ２をリモコン２側のＩＤ１に合わせて（一致させて）変更する（変更用画面Ｇｓ内の「はい」を選択する）ときには、操作部２１の「Enter」キー（図３参照）を操作し、変更しない（変更用画面Ｇｓ内の「いいえ」を選択する）ときには、操作部２１の「Esc」キー（同図参照）を操作する。
【００４８】
この場合、「Enter」キーが操作されたときには、制御部１１は、「５」に設定されているＩＤ２の値をリモコン２側に設定されているＩＤ１の値（この場合、「１」）に変更してそのＩＤ２を示す識別データＤｄ２を第２記憶部１８に上書きして記憶させる。これにより、プロジェクタ１ａのＩＤ２が変更される。この場合、プロジェクタ１の操作部１６を操作することなく、変更用画面Ｇｓを用いてリモコン２の操作によってプロジェクタ１のＩＤ２を離れた位置から変更することが可能なため、ユーザに対する利便性を十分に向上させることが可能となっている。
【００４９】
なお、上記したプロジェクタ１側のＩＤ２をリモコン２側のＩＤ１に合わせて変更する方法とは逆に、リモコン２側のＩＤ１をプロジェクタ１側のＩＤ２に合わせて変更（上記の場合には、ＩＤ１を「１」から「５」に変更）する構成を採用することもできる。この構成では、制御部１１がプロジェクタ１ａ側のＩＤ２を示す識別データＤｄ２を送受信部１５を介してリモコン２に送信し、リモコン２の制御部２２が送受信部２４によって受信された識別データＤｄ２に基づき、「１」に設定されているＩＤ１の値をプロジェクタ１ａ側に設定されているＩＤ２の値（この場合、「５」）に変更してそのＩＤ１を示す識別データＤｄ１を記憶部２３に上書きして記憶させる。この構成においても、ユーザに対する利便性を十分に向上させることが可能となる。この場合、この機能を用いることなく、ユーザが報知画像Ｇｉ１を参照してリモコン２のＩＤ設定キー３４および数字キー３５を操作してＩＤ１の設定を変更することもできる。
【００５０】
このように、この表示制御装置、プロジェクタ１および表示制御方法によれば、制御部１１が、操作対象のプロジェクタ１を指定するＩＤ１とプロジェクタ１に設定されたＩＤ２とが不一致の旨を報知する報知画像Ｇｉ１、およびＩＤ１，ＩＤ２が一致している旨を報知する報知画像Ｇｉ２の少なくとも一方を投写部１４に投写表示させる報知処理６０を実行することにより、ＩＤ１とＩＤ２との一致および不一致の状態や、各プロジェクタ１ａ〜１ｄのうちのどのプロジェクタ１を操作対象として設定しているか等の情報をユーザに対して一目で確認させることができる。このため、例えば、ＩＤ１やＩＤ２の設定誤りによって所望のプロジェクタ１に対する操作ができないときに、その原因が故障によるものであるかのような誤解をユーザに与える不都合を確実に防止することができる。また、設定されているＩＤ１，ＩＤ２を報知画像Ｇｉ１，Ｇｉ２に表示することで、ＩＤ１，ＩＤ２の設定誤りがあったときに、その誤りを容易に修正（変更）することができる。このため、設定されているＩＤ１，ＩＤ２を知ることが困難なことに起因して、全てのプロジェクタ１のＩＤ２を設定し直すという不都合を確実に解消することができる。
【００５１】
また、この表示制御装置およびプロジェクタ１によれば、制御部１１が、制御信号Ｓｃ１が送信されたときに、両ＩＤ１，ＩＤ２の一致および不一致に拘わらず電源キー３１に対応する操作信号Ｓｏに従って投写部１４に対する電源供給処理を実行することにより、ＩＤ１，ＩＤ２が不一致のときに全ての操作信号Ｓｏに対する処理が実行されない一般的な構成とは異なり、たとえＩＤ１，ＩＤ２が不一致であったとしても、投写部１４に電源を確実に供給して、報知画像Ｇｉ１，Ｇｉ２を確実に表示させることができる。
【００５２】
また、この表示制御装置およびプロジェクタ１によれば、制御部１１が、制御信号Ｓｃ２が送信されたときに、両ＩＤ１，ＩＤ２の一致および不一致に拘わらず操作信号Ｓｏに従って投写部１４に表示処理を実行させ、制御信号Ｓｃ２が送信されていないときには、両ＩＤ１，ＩＤ２が一致したときにのみ操作信号Ｓｏに従って投写部１４に表示処理を実行させることにより、例えば、全てのプロジェクタ１ａ〜１ｄに対して所定の操作を一斉に行うような効率を重視した使用形態と、特定のプロジェクタ１に対してのみ所定の操作を行えるよにして他人による操作を規制するようなセキュリティを重視した使用形態とを、制御信号Ｓｃ２の送信を行うか否かで容易に切り替えることができる。このため、ユーザの使用形態に柔軟に対応することができる。
【００５３】
さらに、この表示制御装置およびプロジェクタ１によれば、制御部１１が、制御信号Ｓｃ３が送信されたときに報知画像Ｇｉ１，Ｇｉ２の表示を停止させることにより、報知画像Ｇｉ１，Ｇｉ２の表示が不要なときには、制御信号Ｓｃ３を送信するだけで報知画像Ｇｉ１，Ｇｉ２の表示を任意に停止させることができるため、プロジェクタ１に対して操作を繰り返して行う際に、操作の度に報知画像Ｇｉ１，Ｇｉ２が表示されて画像Ｇｐが見難くなる事態を確実に防止することができる。
【００５４】
また、この表示制御装置およびプロジェクタ１によれば、制御部１１が、報知画像Ｇｉ１の表示色と報知画像Ｇｉ２の表示色とを互いに異ならせて表示させることにより、表示位置から離間した位置においても報知画像Ｇｉ１と報知画像Ｇｉ２とを明確に区別して視認させることができるため、ＩＤ１およびＩＤ２が一致しているか否かを確実に認識させることができる。
【００５５】
また、この表示制御装置およびプロジェクタ１によれば、ＩＤ１とＩＤ２とが不一致のときにＩＤ１およびＩＤ２の少なくとも一方を変更するための変更用画面Ｇｓを投写表示させることにより、プロジェクタ１の操作部１６を操作することなく、変更用画面Ｇｓを用いてリモコン２の操作によってプロジェクタ１のＩＤ２を離れた位置から変更することができるため、ユーザに対する利便性を十分に向上させることができる。
【００５６】
なお、本発明は、上記の構成に限定されない。例えば、操作信号Ｓｏや制御信号Ｓｃと共にリモコン２から送信される識別データＤｄ１に基づいて報知処理６０を実行する例について上記したが、操作対象である旨を特定可能な情報（以下、「操作対象情報Ｄｏ」ともいう。図１参照）をプロジェクタ１の第２記憶部１８に記憶させ、その操作対象情報Ｄｏに基づいて報知処理６０を実行する構成を採用することもできる。この構成において、例えば、上記したプロジェクタ１ａ〜１ｄのうちの１台（一例として、プロジェクタ１ａ）を操作対象として指定する際には、リモコン２の操作部２１におけるＩＤ設定キー３４を操作した後に、プロジェクタ１ａのＩＤ２に対応する数字キー３５（この例では「１」が付された数字キー３５）を操作する。この際に、プロジェクタ１ａの制御部１１が、ＩＤ設定キー３４および数字キー３５に対応する操作信号Ｓｏに従い、操作対象情報Ｄｏを生成して第２記憶部１８に記憶させる。この場合、操作対象情報Ｄｏの内容としては、ＩＤ１およびＩＤ２が共に「１」であることを示すデータ（数字データ）であってもよいし、操作対象である旨を示すフラグであってもよい。
【００５７】
また、この構成では、制御部１１は、操作信号Ｓｏが送信されかつ識別データＤｄ１が操作信号Ｓｏと共に送信されないときには、第２記憶部１８に記憶されている操作対象情報Ｄｏに基づいて報知処理６０を実行する。具体的には、各プロジェクタ１ａ〜１ｄの制御部１１は、操作信号Ｓｏが送信されたときに、第２記憶部１８に操作対象情報Ｄｏが記憶されているか否かを判別し、操作対象情報Ｄｏが記憶されているときには、ＩＤ１とＩＤ２とが一致していると判別したときと同様の処理を行う。一方、第２記憶部１８に操作対象情報Ｄｏが記憶されていないときには、ＩＤ１とＩＤ２とが不一致と判別したとき同様の処理を行う。この構成によれば、例えば、リモコン２が、識別データＤｄ１を送信する機能、つまりＩＤ１を設定する機能を有していないときであっても、上記した報知画像Ｇｉ１，Ｇｉ２を表示させることができるため、上記した効果と同様の効果を実現することができる。
【００５８】
また、報知表示禁止キー３９を操作したときに報知画像Ｇｉ１，Ｇｉ２の投写表示を停止する例について上記したが、報知画像Ｇｉ１，Ｇｉ２の表示開始から所定時間経過した時点で投写表示を自動的に停止させるように制御部１１が投写部１４を制御する構成を採用することもできる。
【００５９】
さらに、初期状態では、報知画像Ｇｉ１，Ｇｉ２の投写表示を停止させておき、報知画像Ｇｉ１，Ｇｉ２の表示を指示するキーをリモコン２に設けて、そのキーが操作されたとき（本発明における、第４の制御信号が出力されて報知処理許可状態となっているとき）にのみ報知画像Ｇｉ１，Ｇｉ２を投写表示させるように制御部１１が投写部１４を制御する構成を採用することもできる。この構成においても、リモコン２を用いて複数のプロジェクタ１のうちの１台に対して所定の操作を繰り返して行う際に、操作の度に報知画像Ｇｉ１，Ｇｉ２が表示されることによって画像Ｇｐが隠されて見難くなる事態を防止することができる。
【００６０】
また、報知画像Ｇｉ１，Ｇｉ２の表示色を互いに異ならせる方法の一例として、背景の色を異ならせる例について上記したが、例えば、報知画像Ｇｉ１における文字の色と報知画像Ｇｉ２における文字の色とを互いに異ならせることもできる。
【００６１】
また、表示部としての投写部１４を備えたプロジェクタ１に本発明を適用した例について上記したが、投写部１４に代えて、ＣＲＴ、液晶表示パネルおよびプラズマディスプレイで構成された表示部を備えた装置に適用することができる。また、表示部を備えずに、外部の表示部に対して上記した各種の処理を実行する表示制御装置に適用することもできる。
【図面の簡単な説明】
【００６２】
【図１】プロジェクタ１の構成を示すブロック図である。
【図２】リモコン２の構成を示すブロック図である。
【図３】リモコン２の平面図である。
【図４】プロジェクタ１ａ〜１ｄとコンピュータ１００とを接続した接続図である。
【図５】プロジェクタ１ａ〜１ｄの配置状態を示す配置図である。
【図６】表示制御処理５０のブロック図である。
【図７】報知処理６０のブロック図である。
【図８】報知画像Ｇｉ１，Ｇｉ２の表示画面図である。
【図９】変更用画面Ｇｓの表示画面図である。
【符号の説明】
【００６３】
１，１ａ〜１ｄ  プロジェクタ、２  リモコン、１１  制御部、１４  投写部、１８  第２記憶部、６０  報知処理、Ｄｄ１，Ｄｄ２  識別データ、Ｄｏ  操作対象情報、Ｇｉ１，Ｇｉ２  報知画像、Ｇｓ  変更用画面、Ｓｃ，Ｓｃ１，Ｓｃ２，Ｓｃ３  制御信号、Ｓｏ  操作信号
【図１】
2008102243.tif 000003
【図２】
2008102243.tif 000004
【図３】
2008102243.tif 000005
【図４】
2008102243.tif 000006
【図５】
2008102243.tif 000007
【図６】
2008102243.tif 000008
【図７】
2008102243.tif 000009
【図８】
2008102243.tif 000010
【図９】
2008102243.tif 000011